(57)【要約】【課題】室内に置いてある状態で、それを目にした親族等以外の者に殆ど違和感を感じさせない墓石を提供する。【解決手段】内部を空洞１にして正面に窓開口２を開設してなる石製の墓本体３と、墓本体３に取付けられたヒンジ具１０により支持されて窓開口２を塞ぐ閉じ位置と窓開口２を開放する開き位置とに回動変位し得るようにした扉体４と、墓本体３の空洞１内に設けた遺骨収容部５と、墓本体３の空洞１内に設けられ扉体４を開放した窓開口２から視認可能な位置に設けた位牌６と、を備えてなる墓石を提供する。この墓石は、石製の墓本体３の内部に位牌６と遺骨がある実質的な墓が形成されているため、扉体４を開けるだけで墓参りをすることができる。一方、墓石は、扉体４を閉じた状態で扉が付いた石製の箱にしか見えないため、室内に設置した状態で親族等以外の者が見ても殆ど違和感を感じない。【選択図】        図３
0003157102.tif 000002
【実用新案登録請求の範囲】
【請求項１】
内部を空洞にして正面に窓開口を開設してなる石製の墓本体と、
前記墓本体に取り付けられたヒンジ具により支持されて前記窓開口を塞ぐ閉じ位置と窓開口を開放する開き位置とに回動変位し得るようにした扉体と、
前記墓本体の前記空洞内に設けた遺骨収容部と、
前記墓本体の前記空洞内に設けられ、前記扉体を開放した窓開口から視認可能な位置に設けた位牌と、
を備えてなることを特徴とする墓石。
【請求項２】
前記墓本体の前記空洞内の底部に前記遺骨収容部を配置し、その遺骨収容部の上に仕切り部材を設置し、その仕切り部材に前記位牌を設置すると共にその位牌より後側位置に台座を設置し、さらにその台座上に仏像を載置してなることを特徴とする請求項１記載の墓石。
【請求項３】
前記墓本体の前記窓開口の側辺正面に木又は合成樹脂製の縁部材を固着し、その縁部材に前記ヒンジ具を取り付けて前記扉体を回動自在に支持するようにしたことを特徴とする請求項１又は２記載の墓石。
【請求項４】
前記位牌を透明素材で形成すると共に前記仕切り部材に発光体を設置し、その発光体で前記位牌の底面を照らして位牌を発光させるようにしたことを特徴とする請求項２又は３記載の墓石。
【請求項５】
前記扉体の内側に印刷物を視認可能な態様に装着し得るホルダーを形成し、扉体を開いた状態で前記ホルダーに装着した印刷物が前記窓開口の側方に位置するようにしたことを特徴とする請求項１乃至４の何れか１項に記載の墓石。
【考案の詳細な説明】
【技術分野】
【０００１】
本考案は、室内に設置し得る墓石に関する。
【背景技術】
【０００２】
我が国では、墓地に墓石を建て、その墓石の下に遺骨を納めて死者を葬るようにしている。
ところが近年、主として都市部において墓地が不足し、墓地の価格が高騰したこと等を契機として室内に置くことができる墓石が提案されている（特許文献１参照）。
【先行技術文献】
【特許文献】
【０００３】
【特許文献１】特開２００１−１７３２７２号公報
【考案の概要】
【考案が解決しようとする課題】
【０００４】
従来の室内設置型の墓石は、墓地用の墓石を単にコンパクトにしたような一見して「墓」と認識できる形状であり、室内で目にした親族等以外の者に違和感を感じさせるおそれがあった。
【０００５】
本考案は上記に鑑みなされたもので、その目的は、室内で目にした親族等以外の者に殆ど違和感を感じさせない墓石を提供することにある。
【課題を解決するための手段】
【０００６】
上記の目的を達成するため本考案は、請求項１に記載したように、
内部を空洞にして正面に窓開口を開設してなる石製の墓本体と、
前記墓本体に取り付けられたヒンジ具により支持されて前記窓開口を塞ぐ閉じ位置と窓開口を開放する開き位置とに回動変位し得るようにした扉体と、
前記墓本体の前記空洞内に設けた遺骨収容部と、
前記墓本体の前記空洞内に設けられ、前記扉体を開放した窓開口から視認可能な位置に設けた位牌と、を備えてなる墓石を提供する。
【０００７】
また、請求項２に記載したように、
前記墓本体の前記空洞内の底部に前記遺骨収容部を配置し、その遺骨収容部の上に仕切り部材を設置し、その仕切り部材に前記位牌を設置すると共にその位牌より後側位置に台座を設置し、さらにその台座上に仏像を載置してなる請求項１記載の墓石を提供する。
【０００８】
また、請求項３に記載したように、
前記墓本体の前記窓開口の側辺正面に木又は合成樹脂製の縁部材を固着し、その縁部材に前記ヒンジ具を取り付けて前記扉体を回動自在に支持するようにした請求項１又は２記載の墓石を提供する。
【０００９】
また、請求項４に記載したように、
前記位牌を透明素材で形成すると共に前記仕切り部材に発光体を設置し、その発光体で前記位牌の底面を照らして位牌を発光させるようにした請求項２又は３記載の墓石を提供する。
【００１０】
また、請求項５に記載したように、
前記扉体の内側に印刷物を視認可能な態様に装着し得るホルダーを形成し、扉体を開いた状態で前記ホルダーに装着した印刷物が前記窓開口の側方に位置する請求項１乃至４の何れか１項に記載の墓石を提供する。
【考案の効果】
【００１１】
本考案の墓石は、石製の墓本体の内部に、位牌と遺骨がある実質的な「墓」が形成されているため、墓本体の正面に設けた扉体を開けるだけで、いつでも簡単に墓参りをすることができる。
一方、本考案の墓石は、扉体を閉じた状態で、外観上、正面に扉が付いた石製の箱にしか見えないため、室内に設置した状態で親族等以外の者が見ても殆ど違和感を感じない。むしろ、石の重厚感が高級な家具或は置物の印象を与える。
【００１２】
また、請求項２のように、墓本体の遺骨収容部の上に仕切り部材を設置してその上の位牌の後ろ側のスペースに仏像を載置すれば、故人の冥福が叶えられるという安心感から墓参りをする者の心が癒やされる。
【００１３】
また、請求項３のように、墓本体の窓開口の側辺正面に木又は合成樹脂製の縁部材を固着してその縁部材に扉体用のヒンジ具を取り付けるようにすれば、加工しにくい石で出来た墓本体に直接ヒンジ具を取り付ける場合に比べて扉体の取付精度を高めることができる。
【００１４】
また、請求項４のように、位牌を透明素材で形成して底面を発光体で照らすようにすれば、位牌の発光により荘厳な雰囲気が演出できる。
【００１５】
また、請求項５のように、扉体の内側にホルダーを形成してそのホルダーに例えば故人の写真などを印刷した印刷物を装着するようにすれば、扉体を開いて墓参りをするとき常に故人の写真が窓開口の側方に並んで見えるため、遺骨と位牌と故人の生前の姿とが一体になって、より故人との絆を強めることができる。
【図面の簡単な説明】
【００１６】
【図１】墓石の斜視図である。
【図２】内部を透視して示す墓石の斜視図である。
【図３】扉体を開放した状態を示す墓石の斜視図である。
【図４】墓石の縦断正面図である。
【図５】墓石の縦断側面図である。
【図６】墓石の横断平面図である。
【図７】墓石の背面図である。
【考案を実施するための形態】
【００１７】
以下に本考案の実施の形態を図面を参照しつつ説明する。
本考案の墓石は、内部を空洞１にして正面に窓開口２を開設してなる石製の墓本体３と、その墓本体３の窓開口２を塞ぐ閉じ位置と開放する開き位置とに回動変位し得るようにした扉体４と、前記墓本体３の空洞１内に設けた遺骨収容部５と、墓本体３の空洞１内に設けられ扉体４を開放した窓開口２から視認可能な位置に設けた位牌６と、を備えてなる。
【００１８】
［墓本体］
墓本体３は、例えば大理石、御影石等の石で出来ており、四角い底板３ａの周囲に前面板３ｂと後面板３ｃと左右の側面板３ｄ，３ｄを立設し、さらに頂部に天板３ｅを載せて内部が空洞１の箱形態にしたものである。大きさは、室内に置いて違和感と圧迫感がなく且つ取り扱いやすいものとすべく、高さが３０〜４０ｃｍに設定されている。
【００１９】
墓本体３は、正面に向かう前面板３ｂを全高の半分以下（具体的には全高の１／５〜１／４程度）の高さに形成すると共に側面板３ｄを略Ｌ字形に形成し、そうして側面板３ｄの前側端面を奥まらせた形態の広い窓開口２を正面に形成したものである。
【００２０】
墓本体３の窓開口２の側辺正面、つまり側面板３ｄの前側端面には、木又は合成樹脂製の縁部材７が固着されている。この縁部材７は、適宜な接着剤により石である側面板３ｄの前側端面に接着されているが、縁部材７の接着強度をより高めるべく、実施形態では側面板３ｄの前側端面に縦長の細溝８を刻設し、その細溝８に木又は合成樹脂製の支持細片９を埋め込んで接着固定し、その支持細片９の前端面と側面板３ｄの前側端面とを面一にして縁部材７に接着してある。支持細片９と縁部材７は木又は合成樹脂同士であるから強力に接着でき、また、支持細片９は細溝８に嵌って側面板３ｄに強固に接着固定されるため、この支持細片９を介して側面板３ｄに対する縁部材７の接着強度を高めることができる。
【００２１】
［扉体］
扉体４は木又は合成樹脂製であり、窓開口２の縦の中心線に対して対称に形成された一対の扉回動体４０，４０で構成される。各扉回動体４０は、窓開口２の前記前面板３ｂの上部に位置する回動体本体４１と、前記側面板３ｄの縁部材７の前側端面に当接する回動体側片４２とで構成され、この回動体側片４２と前記縁部材７が回動自在な公知のヒンジ具１０で連結されている。従って扉体４は、観音開き構造の開き戸として、墓本体３の窓開口２を塞ぐ図６実線の閉じ位置と、窓開口２を開放する図６二点鎖線の開き位置とに回動変位し得る。扉体４を構成する各扉回動体４０の回動体本体４１には、窓開口２の縦の中心線に近い位置にそれぞれ把手１１，１１が設けられており、その把手１１，１１を持って扉体４を開閉させ得る。
【００２２】
［遺骨収容部］
前記墓本体３の空洞１の内部は、仕切り部材１２で上下に仕切られており、その仕切り部材１２の下の空間が遺骨を納めた容器１３等を収容する遺骨収容部５になっている。この遺骨収容部５には、墓本体３を構成する前記前面板３ｂ、両側面板３ｄ，３ｄ、後面板３ｃの内面に沿わせた合成樹脂（例えば透明なアクリル）製の内枠１４が装着されており、その内枠１４の上端面に前記仕切り部材１２が載せられている。
【００２３】
［仕切り部材］
墓本体３の空洞１を上下に仕切る前記仕切り部材１２は、石、木、合成樹脂等で形成されており、前記内枠１４の上に載って遺骨収容部５を塞ぐ下板１２ａと、その下板１２ａの後方上面に積み重ねて段部を形成する前後方向に短い上板１２ｂと、で形成される。
この仕切り部材１２の上板１２ｂの後方中心には、四角柱形の台座１５が立設されており、その台座１５の上に仏像１６が載置される。
【００２４】
［位牌］
位牌６は、透明な例えばアクリル樹脂で形成した縦長長方形の板形態であり、前記仕切り部材１２の上板１２ｂの前縁寄り位置に刻設した凹溝１２ｃ内に立設されている。また、仕切り部材１２には、凹溝１２ｃの底部から遺骨収容部５に貫通する照明孔１２ｄが複数個一列状態に開設されており、この照明孔１２ｄに発光体１７が組み込まれている。従って、照明孔１２ｄの上に整合させて位牌６を設置し、その状態で発光体１７を発光させると位牌６の底面が照らされ、光の反射により位牌６が発光しているように見える。また、位牌６にはレーザー加工により故人の戒名等の文字が刻設されており、発光体１７の光で文字も照らされる。
【００２５】
発光体１７は、例えば発光ダイオードで形成されており、電源コード（図示せず）を後面板３ｃに開設した配線孔１８から引き出して外部の電源に接続される。また、前記側面板３ｄの前側端面に固着した縁部材７，７のうちの一方には、扉体４の開閉動作に応じてＯＮ・ＯＦＦ交互に切り替わるスイッチ１９が組み込まれると共にそのスイッチ１９が発光体１７に接続されている。従って、扉体４を開くとスイッチ１９がＯＮして発光体１７が点灯し、扉体４を閉じるとスイッチ１９がＯＦＦして発光体１７が消灯する。
【００２６】
その他、図４〜図６において符合２０，２０は、仕切り部材１２の前方であって位牌６の前に設置した線香立てと蝋燭立てであり、この部位に常時設置しておくことができる。
また、図３において符合２１は、扉体４の内側に形成したホルダーであり、例えば故人の姿を印刷（プリント）した印刷物（写真を含む。）を視認可能な態様に装着し、扉体４を開いた状態でその印刷物が窓開口２の側方に位置するようにしたものである。なお、このホルダー２１は後付け可能になっており、希望する場合にのみ取り付け得る。
【００２７】
本考案の墓石は以上のように構成されているため、納骨する場合は、図３のように扉体４を開放し、仕切り部材１２を手前に引いて遺骨収容部５に遺骨を容器１３ごと納め、仕切り部材１２を元に戻して遺骨収容部５を塞ぐ。次に、故人の戒名等を刻設した位牌６を照明孔１２ｄの位置に合わせて凹溝１２ｃに立て、図１のように扉体４を閉じる。この状態で室内の任意の場所に設置しておけば、外観上、正面に扉が付いた石製の箱にしか見えず、知らない者には墓石に見えないため、親族等以外の者が見ても殆ど違和感を感じない。むしろ、石の重厚感が高級な家具或は置物の印象を与える。
【００２８】
次に墓に参る場合は、まず、扉体４を開く。そうするとスイッチ１９がＯＮになって発光体１７が点灯し、位牌６が照らされて空洞１の内部が荘厳な雰囲気になる。扉体４を開いた墓本体３の内部には、位牌６と遺骨がある実質的な「墓」が形成されているため、位牌６に向かって合掌すればよい。なお、必要なら合掌に先立ち、線香立て２０に線香を立て、蝋燭立て２０に蝋燭を立てて着火する。
【００２９】
こうして墓に参った後、線香と蝋燭の火を消し、扉体４を閉じれば、外観上、正面に扉が付いた石製の箱に戻る。なお、発光体１７は、扉体４を閉じたことによりスイッチ１９がＯＦＦに切り替わるため、自動的に消灯する。
【００３０】
以上、本考案を実施の形態について説明したが、もちろん本考案は上記実施形態に限定されるものではない。例えば、実施形態では墓本体３を四角い箱状に形成したが、円柱形にしたり六角や八角等の多角柱形にしてもよい。
また、実施形態では、側面板３ｄの前側端面に縁部材７を設けたが、同縁部材７を設けることなく、扉体４用のヒンジ具１０を側面板３ｄの前側端面に直に取り付けるようにしてもよい。この場合、縁部材７，７を設けないことによるコストダウンがプラス面であり、ヒンジ具１０が取り付けにくくなって扉体４の取付精度が低下することがマイナス面になる。
また、実施形態では、仕切り部材１２の上に台座１５を設置してその上に仏像１６を載置し、或は、位牌６を透明素材にして発光体１７で照らすようにしたが、これらは好ましいものではあっても必須のものではなく、例えば、これらの要素の有り無しによって人用とそれ以外の用途で使い分けるようにしてもよい。
【符号の説明】
【００３１】
１  …空洞
２  …窓開口
３  …墓本体
４  …扉体
５  …遺骨収容部
６  …位牌
７  …縁部材
１０…ヒンジ具
１２…仕切り部材
１５…台座
１６…仏像
１７…発光体
２１…ホルダー
【図１】
0003157102.tif 000003
【図２】
0003157102.tif 000004
【図３】
0003157102.tif 000005
【図４】
0003157102.tif 000006
【図５】
0003157102.tif 000007
【図６】
0003157102.tif 000008
【図７】
0003157102.tif 000009